(57)【特許請求の範囲】
【請求項１】
吸湿剤を有して除湿空気と再生空気を通気可能に形成された吸湿器と、除湿空気で再生空気を冷却するための凝縮器と、再生空気を加熱するヒータと、凝縮器で凝縮した水を貯水する貯水タンクと、除湿空気を送る吸湿ファンと、再生空気を送る再
生ファンと、室内の湿度を検知する湿度センサとを備え、
前記湿度センサにより検知された湿度が設定値よりも高いと判断されたときに、前記ヒータを通電し、前記吸湿ファンを動作させる除湿運転状態とする機能を備えて前記湿度センサにより検知される除湿空気の湿度に応じて自動除湿運転の制御を行う除湿機において、
前記自動除湿運転の制御の機能として、
前記湿度センサにより検知された湿度が設定値よりも低いと判断されたときに、前記ヒータを非通電とし、前記吸湿ファンを動作させて送風運転を行う待機運転状態とする機能と、前記待機運転状態のときに、一定時間の間前記ヒータを通電して吸湿器の臭気クリーニング動作を行う機能とを備えたことを特徴とする除湿機。
【発明の詳細な説明】
【０００１】
【発明の属する技術分野】
本発明は、除湿機に関し、吸湿剤で室内の空気中の水分を吸着し、ヒータにより再生し、凝縮器で冷却し凝縮させた水分を回収することによって空気の除湿および乾燥を行う除湿機に関するものである。
【０００２】
【従来の技術】
従来、高湿状態の室内空気の除湿を行うために、一般に除湿機が多く使用されている。
従来の除湿機１００は、例えば、図１２に示すように、水分を吸着するための吸湿剤と脱臭するための脱臭剤（図示省略）を担持して除湿空気１０３と再生空気１０５を通気可能に形成された吸湿器１０１と、除湿空気１０３で再生空気１０５を冷却するための凝縮器１０７と、再生空気１０５を加熱する再生ヒータ１０６と、凝縮器１０７で凝縮した水を貯水する貯水タンク１０９と、除湿される空気を送る吸湿ファン１０２と、再生空気を送る再生ファン１０４と、室内の湿度を検知する湿度センサ１１０とを有して成り、前記湿度センサ１１０により検知される除湿空気の湿度に応じて自動除湿運転を行うように構成されている。
【０００３】
前記除湿機１００内には、図１２に示すように、空気入側１００ａに湿度センサ１１０が設けられるとともに凝縮器１０７が配設され、該凝縮器１０７の空気出側１００ｂに吸湿器１０１が配設されている。さらに、前記吸湿器１０１の空気出側には吸湿ファン１０２が設けられている。
前記凝縮器１０７の下方には貯水タンク１０９が配設され、該凝縮器１０７で凝縮された水１０８を貯水するようにされている。
【０００４】
ここで、従来の除湿機による除湿作用について図面を参照して説明する。
まず、吸湿器１０１は、図１２に示すように、吸湿器駆動用モータ（図示せず）により矢印Ａ方向に回転されている。また、湿度センサ１１０により室内の湿度が検知され、その湿度が設定値よりも高いと判断されたとき、吸湿乾燥径路では、吸湿ファン１０２が動作されて、室内の除湿空気１０３が除湿機１００内部に導入される。
【０００５】
除湿機１００内部に導入された除湿空気１０３は、凝縮器１０７の外側通路１０７ａを通って凝縮器１０７を冷却した後に吸湿器１０１に送られる。
前記吸湿器１０１に送られた除湿空気１０３は、該吸湿器１０１の吸湿部１０１ａを通過する際に、空気中の水分が吸湿器１０１の吸湿剤（図示せず）により吸着され、除湿された乾燥空気１０３ａとなって室内に放出される。
【０００６】
一方、再生径路では、再生空気１０５は再生ファン１０４により再生ヒータ１０６に送られて加熱され、高温状態の空気１０５ａとなって吸湿器１０１の再生部１０１ｂに送られる。
【０００７】
前記高温状態の空気１０５ａは、吸湿剤を加熱するとともに該吸湿剤に吸着されている水分を取出して、高温高湿状態の空気１０５ｂとなって凝縮器１０７の他方通路１０７ｂに導入される。凝縮器１０７に導入された高温高湿状態の空気１０５ｂは、凝縮器１０７内を通過する際に露点以下に冷却されて空気中の水分が凝縮されて水滴となって滴下し、低温状態の空気１０５ｃとなって再生ファン１０４により再び循環される。
滴下した凝縮水１０８は、貯水タンク１０９に一時的に貯水される。
【０００８】
次に、従来の除湿機による自動除湿の動作について、図１３のフローチャートを参照して説明する。
除湿機１００は、自動除湿運転において、湿度センサ１１０により検知される室内の湿度と除湿機１００の設定湿度との差により、除湿能力を「強」、「中」、「弱」、「切」などに切換えるようにされている。
【０００９】
また、装置内の吸湿径路に設置される湿度センサ１１０が室内の湿度を正確に検知できるように、吸湿ファン１０２を動作させて湿度センサ１１０に除湿空気１３を通気する（待機運転）ようになっている。
【００１０】
前記除湿機１００の動作は、図１３に示すように、まず、Ｓ１で自動除湿運転が選択されると、Ｓ２で除湿運転にはいる。
そして、Ｓ３において湿度センサ１１０により室内の湿度が設定湿度になっているかどうか検知される。
【００１１】
前記湿度センサ１１０により室内の湿度が設定湿度に達していないと検知された場合は、Ｓ２に戻り除湿運転が継続して行われる。
一方、湿度センサ１１０により室内の湿度が設定湿度に達したと検知された場合は、Ｓ４に進み送風動作となり除湿運転動作は待機状態となる。
【００１２】
この時、室内の湿度を設定湿度に維持するために、再生ヒータ１０６への通電が止まり、除湿（再生）動作を停止するようにされている。
そして、Ｓ３に戻り湿度センサ１１０による室内の湿度の検知動作が繰り返される。
【００１３】
このようにして、従来の除湿機１００では、室内の湿度を適正に保つために、湿度センサ１１０によって室内の湿度を検知し、除湿運転の能力を例えば「強」、「中」、「弱」、「切」などに切換えて自動除湿運転が行われている。
【００１４】
また、除湿「切」運転（待機運転）において、待機中も湿度センサ１１０により室内の湿度を正確に検知させるために、吸湿ファン１０２を動作させて室内の除湿空気を除湿機１００内に導入しての湿度センサ１１０に通気している。
【００１５】
【発明が解決しようとする課題】
しかしながら、従来の除湿機は、運転待機中に吸湿ファン１０２を動作すると、吸湿器１０１へも通気されるため、吸湿器１０１が家庭内の生活臭（臭気成分）を吸着・濃縮していた。すなわち、再生ヒータ１０６には通電されないため吸湿器１０１は再生されずに臭気の吸着動作が続けられ、臭いは濃縮されていくという問題が生じていた。
【００１６】
例えば、室内の湿度が高くなる頻度が少ない時期（秋から春など）や建物の構造などにより待機時間が長かった後に、自動的に除湿運転に切換わったときや再運転したときの除湿動作により、吸湿器の温度が上昇し、濃縮された臭気成分が再生され、吸湿器内を通気している除湿空気に放出されて室内に拡散するという問題が生じていた。
【００１７】
【課題を解決するための手段】
本発明は、上記従来の問題点に鑑みてなされたものであり、簡単な構成で、臭気を拡散することが無い除湿機を提供することを目的とするものである。
【００１８】
本発明は、除湿機に係り、吸湿剤を有して除湿空気と再生空気を通気可能に形成された吸湿器と、除湿空気で再生空気を冷却するための凝縮器と、再生空気を加熱するヒータと、凝縮器で凝縮した水を貯水する貯水タンクと、除湿空気を送る吸湿ファンと、再生空気を送る再生ファンと、室内の湿度を検知する湿度センサとを備え、前記湿度センサにより検知された湿度が設定値よりも高いと判断されたときに、前記ヒータを通電し、前記吸湿ファンを動作させる除湿運転状態とする機能を備えて前記湿度センサにより検知される除湿空気の湿度に応じて自動除湿運転の制御を行う除湿機において、前記自動除湿運転の制御の機能として、前記湿度センサにより検知された湿度が設定値よりも低いと判断されたときに、前記ヒータを非通電とし、前記吸湿ファンを動作させて送風運転を行う待機運転状態とする機能と、前記待機運転状態のときに、一定時間の間前記ヒータを通電して吸湿器の臭気クリーニング動作を行う機能とを備えたことを特徴とするものである。
【００２９】
本発明によれば、以下のような作用が得られる。
すなわち、吸湿剤を有して除湿空気と再生空気を通気可能に形成された吸湿器と、除湿空気で再生空気を冷却するための凝縮器と、再生空気を加熱するヒータと、凝縮器で凝縮した水を貯水する貯水タンクと、除湿空気を送る吸湿ファンと、再生空気を送る再生ファンと、室内の湿度を検知する湿度センサとを備え、前記湿度センサにより検知された湿度が設定値よりも高いと判断されたときに、前記ヒータを通電し、前記吸湿ファンを動作させる除湿運転状態とする機能を備えて前記湿度センサにより検知される除湿空気の湿度に応じて自動除湿運転の制御を行う除湿機において、前記湿度センサにより検知された湿度が設定値よりも低いと判断されたときは、前記ヒータを非通電とし、前記吸湿ファンを動作させて送風運転を行う待機運転状態と成り、前記待機運転状態のときに、一定時間の間前記ヒータを通電して吸湿器の臭気クリーニング動作を行うことで室内の臭気の拡散を防止することができる。
【００４０】
【発明の実施の形態】
以下、本発明の実施の形態を、図面を参照して詳細に説明する。
図１は発明を実施する形態の一例であって、本発明の実施形態に係る除湿機の主要部の構成を示す構成図である。
第１の実施形態に係る除湿機１は、図１に示すように、水分を吸着するための吸湿剤と脱臭するための脱臭剤を担持して除湿空気１３と再生空気１５を通気可能にハニカム構造で形成された吸湿器１１と、除湿空気１３で再生空気１５を冷却するための凝縮器１７と、再生空気１５を加熱する再生ヒータ１６と、凝縮器１７で凝縮した水を貯水する貯水タンク１９と、除湿される空気を送る吸湿ファン１２と、再生空気を送る再生ファン１４と、室内の湿度を検知する湿度センサ２１とを有して成り、前記湿度センサ２１により検知される除湿空気の湿度に応じて自動除湿運転を行うように構成されている。
【００４１】
前記除湿機１は、図１に示すように、空気入側１ａに湿度センサ２１が設けられるとともに凝縮器１７が配設され、該凝縮器１７の空気出側１ｂに吸湿器１１が配設されている。前記吸湿器１１の空気出側１ｂには、２０は乾燥空気１３ａの熱を再生空気１５ｃに回収するための熱交換器２０が配設されている。
前記熱交換機２０の空気出側１ｂには吸湿ファン１２が設けられている。
【００４２】
また、前記凝縮器１７と吸湿器１１との間には、脱臭ヒータ２３が配設されている。前記脱臭ヒータ２３は、前記吸湿器１１に送られる除湿空気１３の一部をバイパスして加熱してから該吸湿器１１に送るようにしたものである。
【００４３】
前記凝縮器１７の下方には貯水タンク１９が配設され、該凝縮器１７で凝縮された水１８を貯水するようにされている。
【００４４】
次に、除湿機１による除湿作用について、図１を参照して説明する。
まず、除湿機１が運転されると、吸湿器１１は吸湿器駆動用モータ（図示せず）によって矢印Ｂ方向に回転する。吸湿乾燥径路では、吸湿ファン１２が動作されて、除湿機１の空気入側１ａより室内の除湿空気１３が除湿機１内部に導入される。
【００４５】
除湿機１内に導入された除湿空気１３は、凝縮器１７の外側通路１７ａを通って凝縮器１７を冷却した後に吸湿器１１に送られる。この時、除湿空気１３の一部は、バイパスして脱臭ヒータ２３に送られ、加熱されてから吸湿器１１に送るようにされている。
【００４６】
前記吸湿器１１に送られた除湿空気１３は、該吸湿器１１の吸湿部１１ａを通過する際に空気中の水分を吸湿器１１の吸湿剤（図示せず）により吸着され、除湿した乾燥空気１３ａを室内に放出される。
【００４７】
一方、再生径路では、再生空気１５は再生ファン１４により再生ヒータ１６に送られて加熱され、高温状態の空気１５ａとなって吸湿器１１の再生部１１ｂに送られる。
【００４８】
前記高温状態の空気１５ａは、吸湿剤を加熱して該吸湿剤に吸着されている水分を取出し、高温高湿状態の空気１５ｂとなって凝縮器１７の他方通路１７ｂに導入される。
前記凝縮器１７に導入された高温高湿状態の空気１５ｂは、凝縮器１７内を通過する際に露点以下に冷却されて空気中の水分が凝縮されて水滴となって滴下し、低温状態の空気１５ｃとなって再生ファン１４により再び循環される。
滴下した凝縮水１８は、貯水タンク１９に一時的に貯水される。
【００４９】
次に、除湿機１による脱臭動作について図１を参照して説明する。
まず、除湿機１が運転されると、図１に示すように、吸湿器１１は矢印Ｂ方向に回転する。吸湿乾燥径路では、吸湿ファン１２が動作されて、除湿機１の空気入側１ａより室内空気１３が除湿機１内部に導入される。
【００５０】
前記吸湿器１１の吸湿部１１ａには、吸湿ファン１２により除湿空気１３が通気され、吸湿器１１に担持されている吸湿剤（例えば、多孔質のゼオライト）に水分および臭気成分が吸着される。
【００５１】
前記吸湿器１１の再生部１１ｂでは、再生ヒータ１６によって加熱された高温の再生空気１５ａにより吸湿器１１が加熱される。すると、吸湿器１１の吸湿剤に含まれる水分は離脱して再生空気１５に含有され、高温高湿の再生空気１５ｂとなって凝縮器１７へ運ばれる。
【００５２】
一方、臭気成分は、吸湿器１１内において高温の再生空気１５ａにより脱臭剤（例えば、白金族金属）が活性化し、その触媒作用により酸化分解して無臭成分となる。こうして、室内に臭気が放出されることなく乾燥空気１３ａが送風されて除湿運転が行われる。
【００５３】
以上のように構成したので、第１の実施形態によれば、除湿機による除湿運転時に室内に臭気の放散を防止することができる。
【００５４】
次に、本発明の第２の実施形態を、図面を参照して説明する。
図２は、第２の実施形態に係る除湿機の自動除湿運転の動作を示すフローチャートである。
第２の実施形態は、図１に示すように、水分を吸着するための吸湿剤と脱臭するための脱臭剤（図示省略）を担持して除湿空気１３と再生空気１５を通気可能にハニカム構造で形成された吸湿器１１と、除湿空気１３で再生空気１５を冷却するための凝縮器１７と、再生空気１５を加熱する再生ヒータ１６と、凝縮器１７で凝縮した水を貯水する貯水タンク１９と、除湿される空気を送る吸湿ファン１２と、再生空気を送る再生ファン１４と、室内の湿度を検知する湿度センサ２１とを有して成り、前記湿度センサ２１により検知される除湿空気の湿度に応じて自動除湿運転を行うように構成された除湿機であって、自動除湿運転に待機運転（送風運転）を備えたものである。
【００５５】
待機運転は、その待機運転動作内に自動臭気クリーニング運転を有している。前記自動臭気クリーニング運転は、自動除湿運転中に室内の湿度が設定された湿度になって待機運転状態となったときに、設定された時間毎に自動的に一定時間の間除湿（再生）動作を行うものである。
【００５６】
ここで、自動臭気クリーニング運転について図２のフローチャートを参照して説明する。
自動クリーニング運転における脱臭動作は、図２に示すように、自動除湿運転において、まず、Ｓ１で自動除湿運転が選択されると、Ｓ２で除湿運転にはいる。そして、Ｓ３で湿度センサ２１により室内の湿度が設定湿度になっているかどうか検知される。
【００５７】
Ｓ３において、前記湿度センサ２１により室内の湿度が設定湿度に達していないと検知された場合は、Ｓ２に戻り除湿運転が継続して行われる。
【００５８】
一方、Ｓ３において、湿度センサ２１により室内の湿度が設定湿度に達したと検知された場合は、Ｓ４に進み脱臭タイマー１が動作を開始して、Ｓ５で送風運転となる。
そして、Ｓ３に戻り湿度センサ２１による室内の湿度の検知動作が繰り返られる。
【００５９】
Ｓ４において、脱臭タイマー１が設定時間を経過すると送風動作は停止し、Ｓ６で脱臭タイマー２が作動を開始し、Ｓ７で除湿動作（脱臭動作）が行われる。この時、送風動作時に吸湿器１１に吸着された微量の臭気は吸湿器１１から放散され、乾燥空気１３ａによって室内に放出される。
【００６０】
Ｓ６において、脱臭タイマー２が設定時間を経過すると除湿動作は停止し、Ｓ３に戻り湿度センサ２１による室内の湿度を検知して、その湿度に従った動作が繰り返される。
【００６１】
脱臭タイマー１の設定時間（吸湿器１１の臭気吸着時間）は、除湿動作（脱臭動作）を行い脱臭したときの臭気放出量が異常な量（不快な量）にならないように設定されている。
また、脱臭タイマー２の設定時間（吸湿器１１の臭気再生時間）は、吸湿器１１が臭気を完全に放出する時間に設定されている。
【００６２】
以上のように構成したので、第２の実施形態によれば、臭気が多量に吸着される前に臭気クリーニング運転を行い、少量ずつ放散するようにして、異常な臭気を感じない除湿運転を可能にすることができる。
【００６３】
次に、本発明の第３の実施形態を、図面を参照して説明する。
第３の実施形態は、図１に示すように、水分を吸着するための吸湿剤と脱臭するための脱臭剤（図示省略）を担持して除湿空気１３と再生空気１５を通気可能にハニカム構造で形成された吸湿器１１と、除湿空気１３で再生空気１５を冷却するための凝縮器１７と、再生空気１５を加熱する再生ヒータ１６と、凝縮器１７で凝縮した水を貯水する貯水タンク１９と、除湿される空気を送る吸湿ファン１２と、再生空気を送る再生ファン１４と、室内の湿度を検知する湿度センサ２１とを有して成り、前記湿度センサ２１により検知される除湿空気の湿度に応じて自動除湿運転を行うように構成された除湿機であって、臭気をクリーニングするためのスイッチ２２を設けたものである。
【００６４】
以上のように構成したので、第３の実施形態によれば、ユーザーが必要に応じてスイッチ２２を押すことにより、適宜に臭気のクリーニング運転をすることが可能となり、室内の臭気濃度の変化や吸湿器１１に吸着される量の変化に対応した臭気クリーニング運転を行うことができる。
【００６５】
次に、本発明の第４の実施形態を、図面を参照して説明する。
図３は、第４の実施形態に係る除湿機の自動除湿運転の動作を示すフローチャートである。
第４の実施形態は、図１に示すように、水分を吸着するための吸湿剤と脱臭するための脱臭剤（図示省略）を担持して除湿空気１３と再生空気１５を通気可能にハニカム構造で形成された吸湿器１１と、除湿空気１３で再生空気１５を冷却するための凝縮器１７と、再生空気１５を加熱する再生ヒータ１６と、凝縮器１７で凝縮した水を貯水する貯水タンク１９と、除湿される空気を送る吸湿ファン１２と、再生空気を送る再生ファン１４と、室内の湿度を検知する湿度センサ２１とを有して成り、前記湿度センサ２１により検知される除湿空気の湿度に応じて自動除湿運転を行うように構成された除湿機であって、臭気をクリーニングするためのスイッチ２２を設けて、ユーザーがスイッチ２２を押すことで、脱臭タイマーが動作を始め、臭気のクリーニング運転を行い、設定時間が経過すると臭気クリーニング運転が自動的に停止するようにしたものである。
【００６６】
臭気クリーニング運転における脱臭動作は、図３に示すように、自動除湿運転において、まず、Ｓ１で臭気クリーニング運転が選択されると、Ｓ２で脱臭タイマーが動作を開始して、Ｓ３で臭気クリーニング動作が開始される。脱臭タイマーが設定時間となるとＳ４において送風動作は停止する。
【００６７】
以上のように構成したので、第４の実施形態によれば、臭気クリーニング運転の切り忘れを防止することができる。
【００６８】
次に、本発明の第５の実施形態を、図面を参照して説明する。
図４は、第５の実施形態に係る除湿機の自動除湿運転の動作を示すフローチャートである。
第５の実施形態は、図１に示すように、水分を吸着するための吸湿剤と脱臭するための脱臭剤（図示省略）を担持して除湿空気１３と再生空気１５を通気可能にハニカム構造で形成された吸湿器１１と、除湿空気１３で再生空気１５を冷却するための凝縮器１７と、再生空気１５を加熱する再生ヒータ１６と、凝縮器１７で凝縮した水を貯水する貯水タンク１９と、除湿される空気を送る吸湿ファン１２と、再生空気を送る再生ファン１４と、室内の湿度を検知する湿度センサ２１とを有して成り、前記湿度センサ２１により検知される除湿空気の湿度に応じて自動除湿運転を行うように構成された除湿機であって、臭気をクリーニングするためのクリーニング運転を連続除湿運転としたものである。
【００６９】
この除湿機の動作は、図４に示すように、Ｓ１で臭気クリーニング運転が選択されると、Ｓ２で連続除湿運転が開始される。
以上のように構成したので、第５の実施形態によれば、複雑な回路や制御を必要とすることなく、したがって、低コストで自動除湿運転と臭気クリーニング運転を行うことができる。
【００７０】
次に、本発明の第６の実施形態を、図面を参照して説明する。
図５は、第６の実施形態に係る除湿機の自動除湿運転の動作を示すフローチャートである。
第６の実施形態は、図１に示すように、水分を吸着するための吸湿剤と脱臭するための脱臭剤（図示省略）を担持して除湿空気１３と再生空気１５を通気可能にハニカム構造で形成された吸湿器１１と、除湿空気１３で再生空気１５を冷却するための凝縮器１７と、再生空気１５を加熱する再生ヒータ１６と、凝縮器１７で凝縮した水を貯水する貯水タンク１９と、除湿される空気を送る吸湿ファン１２と、再生空気を送る再生ファン１４と、室内の湿度を検知する湿度センサ２１とを有して成り、前記湿度センサ２１により検知される除湿空気の湿度に応じて自動除湿運転を行うように構成された除湿機であって、湿度センサ２１によって室内の湿度を検知しながら、除湿運転および送風運転を行うようにしたものである。
【００７１】
この除湿機の動作は、図５に示すように、自動除湿運転において、まず、Ｓ１で自動除湿運転が選択されると臭気クリーニング動作にはいり、Ｓ２で脱臭タイマーが動作を開始して、Ｓ３で除湿（再生）動作が開始される。この時、吸湿器１１が１回転以上回転しながら除湿動作が行われる。
そして、脱臭タイマーが設定時間となると、Ｓ４において自動除湿運転にはいり、湿度センサ２１により室内の湿度が設定湿度になっているかどうか検知される。
【００７２】
Ｓ４において、前記湿度センサ２１により室内の湿度が設定湿度に達していると検知された場合は、Ｓ５に進み送風運転が行われ待機状態となる。そして、Ｓ４に戻り湿度センサ２１による室内の湿度の検知動作が繰り返される。
一方、Ｓ４において、前記湿度センサ２１により室内の湿度が設定湿度に達していないと検知された場合は、Ｓ６に進み除湿動作が開始される。
【００７３】
以上のように構成したので、第６の実施形態によれば、自動除湿運転が「入」となった後に、吸湿器１１が１回転以上回転する時間は除湿（再生）動作を行って自動除湿運転に入るようにしたので、吸湿器１１の全面を脱臭することができ、吸湿器１１からの臭気のもれを防ぎ、臭気の放出を防止できる。
【００７４】
次に、本発明の第７の実施形態を、図面を参照して説明する。
図６は、第７の実施形態に係る除湿機の自動除湿運転の動作を示すフローチャートである。
第７の実施形態は、図１に示すように、水分を吸着するための吸湿剤と脱臭するための脱臭剤（図示省略）を担持して除湿空気１３と再生空気１５を通気可能にハニカム構造で形成された吸湿器１１と、除湿空気１３で再生空気１５を冷却するための凝縮器１７と、再生空気１５を加熱する再生ヒータ１６と、凝縮器１７で凝縮した水を貯水する貯水タンク１９と、除湿される空気を送る吸湿ファン１２と、再生空気を送る再生ファン１４と、室内の湿度を検知する湿度センサ２１とを有して成り、前記湿度センサ２１により検知される除湿空気の湿度に応じて自動除湿運転を行うように構成された除湿機であって、湿度センサ２１によって室内の湿度を検知しながら、除湿運転および送風運転を行うようにしたものである。
【００７５】
この除湿機の動作は、図６に示すように、自動除湿運転において、まず、Ｓ１で自動除湿運転が選択されると臭気クリーニング動作にはいり、Ｓ２で脱臭タイマーが動作を開始して、Ｓ３で臭気クリーニング動作が開始される。
脱臭タイマーが設定時間となると、Ｓ４において自動除湿運転にはいり、湿度センサ２１により室内の湿度が設定湿度になっているかどうか検知される。
【００７６】
Ｓ４において、前記湿度センサ２１により室内の湿度が設定湿度に達していると検知された場合は、Ｓ５に進み送風運転が行われ待機状態となる。
そして、Ｓ４に戻り湿度センサ２１による室内の湿度の検知動作が繰り返される。
一方、Ｓ４において、前記湿度センサ２１により室内の湿度が設定湿度に達していないと検知された場合は、Ｓ６に進み除湿動作が開始される。
【００７７】
以上のように構成したので、第７の実施形態によれば、自動除湿運転が「入」となった後に、設定時間だけ専用動作の臭気クリーニング動作を行った後に自動除湿運転に入るようにしたので、臭気が吸湿器１１に多量に吸着される前に臭気クリーニングすることができるので、臭気が少量ずつ放散されるため、異常な臭気を感じない除湿運転を可能にすることができる。
【００７８】
次に、本発明の第８の実施形態を、図面を参照して説明する。
図７は、第８の実施形態に係る除湿機の自動除湿運転の動作を示すフローチャートである。
第８の実施形態は、図１に示すように、水分を吸着するための吸湿剤と脱臭するための脱臭剤（図示省略）を担持して除湿空気１３と再生空気１５を通気可能にハニカム構造で形成された吸湿器１１と、除湿空気１３で再生空気１５を冷却するための凝縮器１７と、再生空気１５を加熱する再生ヒータ１６と、凝縮器１７で凝縮した水を貯水する貯水タンク１９と、除湿される空気を送る吸湿ファン１２と、再生空気を送る再生ファン１４と、室内の湿度を検知する湿度センサ２１とを有して成り、前記湿度センサ２１により検知される除湿空気の湿度に応じて自動除湿運転を行うように構成された除湿機であって、自動除湿運転中に設定された時間毎に、自動的に一定時間の間、除湿（再生）動作を行うようにしたものである。
【００７９】
この除湿機の動作は、図７に示すように、自動除湿運転において、まず、Ｓ１で自動除湿運転が選択されると、Ｓ２で除湿運転にはいる。そして、Ｓ３において脱臭タイマー１が動作を開始して、Ｓ４に進み湿度センサ２１により室内の湿度が設定湿度になっているかどうか検知される。
【００８０】
Ｓ４において、前記湿度センサ２１により室内の湿度が設定湿度に達したと検知された場合は、Ｓ５で送風運転となる。そして、Ｓ３に戻り脱臭タイマー１の動作を検出する。
【００８１】
また、Ｓ４において、前記湿度センサ２１により室内の湿度が設定湿度に達していないと検知された場合は、Ｓ２に戻り除湿運転が継続して行われる。
【００８２】
一方、Ｓ３において脱臭タイマー１が設定時間となると、Ｓ６に進み脱臭タイマー２が作動を開始して、Ｓ７に進み除湿動作（脱臭動作）にはいる。この時、送風動作時に吸湿器１１に吸着された微量の臭気は吸湿器１１から放散され、乾燥空気１３ａによって室内に放出される。
【００８３】
Ｓ６において、脱臭タイマー２が設定時間となると除湿動作は停止して、Ｓ３に戻り脱臭タイマー１が作動を開始して、湿度センサ２１による室内に湿度を検知しながら運転を継続して、脱臭タイマー１および脱臭タイマー２による脱臭運転が繰り返される。
【００８４】
ここで、脱臭タイマー１の設定時間（吸湿器１１の臭気吸着時間）は、除湿動作（脱臭動作）を行い脱臭したときの臭気放出量が異常な量（不快な量）にならないように設定されている。
【００８５】
また、脱臭タイマー２の設定時間（吸湿器１１の臭気再生時間）は、吸湿器１１が臭気を完全に放出する時間に設定されている。
【００８６】
上記のように構成したので、第８の実施形態によれば、自動除湿運転中に、設定された時間毎に自動的に一定時間の間除湿（再生）動作を行うことで、臭気が吸湿器１１に多量に吸着される前に、臭気クリーニングされ、少量ずつ放散されるため、異常な臭気を感じない除湿運転を可能にすることができる。
【００８７】
次に、本発明の第９の実施形態を、図面を参照して説明する。
図８は、第９の実施形態に係る除湿機の自動除湿運転の動作を示すフローチャートである。
第９の実施形態は、図１に示すように、水分を吸着するための吸湿剤と脱臭するための脱臭剤（図示省略）を担持して除湿空気１３と再生空気１５を通気可能にハニカム構造で形成された吸湿器１１と、除湿空気１３で再生空気１５を冷却するための凝縮器１７と、再生空気１５を加熱する再生ヒータ１６と、凝縮器１７で凝縮した水を貯水する貯水タンク１９と、除湿される空気を送る吸湿ファン１２と、再生空気を送る再生ファン１４と、室内の湿度を検知する湿度センサ２１とを有して成り、前記湿度センサ２１により検知される除湿空気の湿度に応じて自動除湿運転を行うように構成された除湿機であって、室内の湿度が設置湿度以下となったときでも、最低の能力で除湿運転を続けるようにしたものである。
【００８８】
この除湿機の動作は、図８に示すように、自動除湿運転において、まず、Ｓ１で自動除湿運転が選択されると、Ｓ２で湿度センサ２１により室内の湿度が検知されて設定湿度と比較される。
【００８９】
Ｓ２において、室内の湿度が設定湿度と同じか、設定湿度以下であった場合は、Ｓ３に進み最低能力（弱）除湿運転が行われる。
一方、Ｓ２において、室内の湿度が設定湿度よりも大きい場合は、Ｓ４に進み、湿度差の大きさに応じて、例えば、強運転、中運転、弱運転で除湿運転が行われる。
【００９０】
上記のように構成したので、第９の実施形態によると、自動除湿運転中に湿度センサ２１によって室内の湿度を検知し、室内の湿度と設定湿度との差の大小に合わせ強弱運転を行うとともに、室内の湿度が設定湿度以下となったときでも、最低の能力（弱）で除湿運転を続けることで常に再生運転となり、臭気が吸湿器に吸着さることがないので臭気の発生を防止することができる。
【００９１】
次に、本発明の第１０の実施形態を、図面を参照して説明する。
図９は、第１０の実施形態に係る除湿機の自動除湿運転におけるヒータ、吸湿ファン等の設定の一例を示す設定表である。
第１０の実施形態は、図１に示すように、水分を吸着するための吸湿剤と脱臭するための脱臭剤（図示省略）を担持して除湿空気１３と再生空気１５を通気可能にハニカム構造で形成された吸湿器１１と、除湿空気１３で再生空気１５を冷却するための凝縮器１７と、再生空気１５を加熱する再生ヒータ１６と、凝縮器１７で凝縮した水を貯水する貯水タンク１９と、除湿される空気を送る吸湿ファン１２と、再生空気を送る再生ファン１４と、室内の湿度を検知する湿度センサ２１とを有して成り、前記湿度センサ２１により検知される除湿空気の湿度に応じて自動除湿運転を行うように構成された除湿機であって、臭気をクリーニングする臭気クリーニング動作において、除湿運転の能力切替え等で、強弱等の切換動作をさせるヒータ、吸湿ファン、再生ファンおよび吸湿器駆動用モータのすくなくとも一部を、再生部の吸湿器温度が通常の運転温度より高くなるように切換動作するようにしたものである。
【００９２】
前記除湿機による自動除湿運転は、図９に示すように、除湿運転の強弱を制御する場合は、再生ファンと吸湿器駆動モータの回転数は各々一定として、吸湿ファンの回転数はヒータの消費電力に応じて、「強」、「中」、「弱」と各々に対応させている。
一方、臭気クリーニング運転・動作を制御する場合は、再生ファンと吸湿器駆動モータの回転数は各々一定として、吸湿ファンの回転数はヒータの消費電力に対して、ヒータが「強」の時は吸湿ファンを「中または弱」とし、ヒータが「中」の時は吸湿ファンを「弱」としている。
【００９３】
以上のように構成したので、第１０の実施形態によれば、臭気クリーニング運転時にヒータの出力に対して吸湿ファンの出力を小さくして、再生部の吸湿器温度が通常の運転温度より高くなるように組み合わせることで、吸湿器に吸着された臭気が多く放出され、短時間で効果的な脱臭を行うことができる。
【００９４】
次に、第１１の実施形態を、図面を参照して説明する。
図１０は、第１１の実施形態に係る除湿機の自動除湿運転におけるヒータ、吸湿ファン等の設定の一例を示す設定表である。
第１１の実施形態は、図１に示すように、水分を吸着するための吸湿剤と脱臭するための脱臭剤（図示省略）を担持して除湿空気１３と再生空気１５を通気可能にハニカム構造で形成された吸湿器１１と、除湿空気１３で再生空気１５を冷却するための凝縮器１７と、再生空気１５を加熱する再生ヒータ１６と、凝縮器１７で凝縮した水を貯水する貯水タンク１９と、除湿される空気を送る吸湿ファン１２と、再生空気を送る再生ファン１４と、室内の湿度を検知する湿度センサ２１とを有して成り、前記湿度センサ２１により検知される除湿空気の湿度に応じて自動除湿運転を行うように構成された除湿機であって、臭気をクリーニングする臭気クリーニング動作において、再生部の吸湿器温度が、通常運転温度より高くなるように、一定時間の間吸湿ファンの動作を停止するように設定したものである。
【００９５】
前記除湿機による自動除湿運転は、図１０に示すように、除湿運転の強弱を制御する場合は、再生ファンと吸湿器駆動モータの回転数は各々一定として、吸湿ファンの回転数はヒータの消費電力に応じて、「強」、「中」、「弱」と各々に対応させている。
一方、臭気クリーニング運転・動作を制御する場合は、再生ファンと吸湿器駆動モータの回転数は各々一定として、吸湿ファンの回転数はヒータの消費電力に対して、ヒータが「強」の時は吸湿ファンを一定時間の間停止するようにしている。
【００９６】
以上のように構成したので、第１１の実施形態によれば、臭気クリーニング運転時に吸湿ファンを一定時間の間停止することで、再生部のヒータ、吸湿ファン、再生ファンおよび吸湿器駆動モータ等の温度が上昇して吸湿器全体の温度が通常の運転温度より高くなるようしたので、吸湿器に吸着された臭気が多く放出され、短時間で効果的な脱臭を行うことができる。
【００９７】
次に、本発明の第１２の実施形態を、図面を参照して説明する
図１１は、第１２実施形態に係る除湿機の自動除湿運転におけるヒータ、吸湿ファン等の設定の一例を示す設定表である。
第１２の実施形態は、図１に示すように、水分を吸着するための吸湿剤と脱臭するための脱臭剤（図示省略）を担持して除湿空気１３と再生空気１５を通気可能にハニカム構造で形成された吸湿器１１と、除湿空気１３で再生空気１５を冷却するための凝縮器１７と、再生空気１５を加熱する再生ヒータ１６と、凝縮器１７で凝縮した水を貯水する貯水タンク１９と、除湿される空気を送る吸湿ファン１２と、再生空気を送る再生ファン１４と、室内の湿度を検知する湿度センサ２１とを有して成り、前記湿度センサ２１により検知される除湿空気の湿度に応じて自動除湿運転を行うように構成された除湿機であって、臭気をクリーニングする臭気クリーニング動作において、再生部の吸湿器温度が、通常運転温度より高くなるように、一定時間の間吸湿器の回転動作を通常運転よりも遅くするように設定したものである。
【００９８】
前記除湿機による自動除湿運転は、図１１に示すように、除湿運転の強弱を制御する場合は、再生ファンと吸湿器駆動モータの回転数は各々一定として、吸湿ファンの回転数はヒータの消費電力に応じて、「強」、「中」、「弱」と各々に対応させている。
一方、臭気クリーニング運転・動作を制御する場合は、再生ファンの回転数を一定とし、吸湿器駆動モータの回転数を「弱」に設定して、吸湿ファンの回転数はヒータの消費電力に対して、ヒータが「強〜弱」の時、吸湿ファンが「強〜弱」となるようにしている。
【００９９】
以上のように構成したので、第１２の実施形態によれば、臭気クリーニング運転時に吸湿器駆動モータの回転を通常より遅くすることで、除湿機１内を通気する空気を少なくして吸湿器を冷却する能力を低下させ、吸湿器全体の温度が通常の運転温度より高くなるようしたので、吸湿器に吸着された臭気が多く放出され、短時間で効果的な脱臭を行うことができる。
【０１００】
次に、本発明の第１３の実施形態を、図面を参照して説明する。
第１３の実施形態は、図１を参照して、水分を吸着するための吸湿剤と脱臭するための脱臭剤（図示省略）を担持して除湿空気１３と再生空気１５を通気可能にハニカム構造で形成された吸湿器１１と、除湿空気１３で再生空気１５を冷却するための凝縮器１７と、再生空気１５を加熱する再生ヒータ１６と、凝縮器１７で凝縮した水を貯水する貯水タンク１９と、除湿される空気を送る吸湿ファン１２と、再生空気を送る再生ファン１４と、室内の湿度を検知する湿度センサ２１とを有して成り、前記湿度センサ２１により検知される除湿空気の湿度に応じて自動除湿運転を行うように構成された除湿機であって、吸湿器１１を挟んで再生ヒータ１６の反対側の吸湿径路に脱臭ヒータ２３を設置し、臭気クリーニング運転モードを有したものである。
前記臭気クリーニング運転モードは、除湿動作を開始すると同時に脱臭ヒータ２３に通電するようにしたものである。
【０１０１】
前記除湿機の臭気クリーニング運転は、除湿機が除湿（再生）動作を開始すると、再生ヒータ１６に通電される。該再生ヒータ１６により加熱されて高温となった再生空気１５ｂは、吸湿器１１の再生部１１ｂを再生空気１５ｂの上流側（図１で吸湿器１１の右側）から加熱する。これにより吸湿器１１は再生空気１５ｂの上流側（図中の右側）から脱臭される。
【０１０２】
これと同時に、脱臭ヒータ２３に通電され、該脱臭ヒータ２３により加熱されて高温状態の除湿空気１３ｂは、矢印Ｃ方向に向かって再生空気１５ｂの下流側から送風されて吸湿器１１の再生部１１ｂを温風加熱する。これにより吸湿器１１は高温状態の除湿空気１３ｂの上流側（図中の左側）から脱臭される。
【０１０３】
以上のように構成したので、第１３の実施形態によれば、臭気クリーニング動作において、再生動作を行うと同時に脱臭ヒータ２３に通電して、吸湿器１１の再生空気１５ｂ下流側から再生空気１５ｂの流れ方向とは逆方向に温風加熱することで、吸湿器１１が両面から脱臭され、短時間で効果的な脱臭を行うことができる。
【０１０４】
尚、本発明の除湿機は、上述の図示例にのみ限定されるものではなく、本発明の要旨を逸脱しない範囲内において種々変更を加え得ることは勿論である。
【０１０５】
【発明の効果】
以上、説明したように本発明の請求項１〜１４に記載の除湿機によれば、簡単な構成で、臭気を拡散することが無い除湿機を実現できるという優れた効果を奏し得る。
詳しくは、除湿機において、吸湿器に吸湿剤と共に脱臭剤を担持して、吸湿剤が空気中の水分と共に吸着した臭気成分を酸化分解する吸湿器を搭載することで、室内に臭気の放散を防止することができる。
【０１０６】
また、待機運転状態において、設定された時間毎に自動的に一定時間の間除湿・再生動作を行うことで、臭気が吸湿器に多量に吸着される前に、臭気クリーニングされ、少量ずつ放散されるため、異常な臭気を感じない除湿運転が可能である。
【０１０７】
また、臭気をクリーニングするためのスイッチを設けたことで、ユーザーが任意に臭気クリーニングができ、ユーザーの生活や感覚に合せた臭気クリーニング運転ができる。
また、臭気クリーニング運転は、自動的に停止する切タイマー運転とすることで、切り忘れを防止することができる。
さらに、臭気クリーニング運転は、連続除湿運転とすることで、複雑な回路や制御を必要とすることなく、除湿機の低コスト化を図ることができる。
【０１０８】
また、自動除湿運転が「入」となった時、吸湿器が１回転以上回転する時間の間除湿・再生動作を行った後に自動除湿運転を行うことで、吸湿器の全面を脱臭することができ、吸湿器の脱臭のモレを防ぎ、臭いの放出を防ぐことができる。さらに、自動除湿運転が「入」となった後、設定時間だけ専用動作の臭気クリーニング動作を行い自動除湿運転を行うことで、臭気が吸湿器に多量に吸着される前に臭気クリーニングされ、少量ずつ放散されるため、異常な臭気を感じない除湿運転が可能である。
【０１０９】
また、自動除湿運転中に、設定された時間毎に自動的に一定時間の間除湿・再生動作を行うことで、臭気が吸湿器に多量に吸着される前に、臭気クリーニングされ、少量ずつ放散されるため、異常な臭気を感じない除湿運転が可能である。また、室内の湿度が設定湿度以下の状態の時に、設定された最低の能力で除湿運転を続けることで、常に再生運転となり臭気が吸湿器に吸着されず、臭気の発生を防止することができる。
【０１１０】
また、前記臭気クリーニング動作において、除湿運転の能力切換え等で、強弱等の切換動作をさせているヒータ、吸湿ファン、再生ファンおよび吸湿器駆動用モータのうちの少なくとも一部を、再生部の吸湿器温度が通常の運転温度より高くなるように組み合わせることで、吸湿器に吸着された臭気が多く放出され、短時間で効果的に脱臭を行うことができる。
【０１１１】
さらに、前記臭気クリーニング動作において、除湿運転の能力切換え等で、強弱等の切換え動作をさせているヒータ、吸湿ファン、再生ファンおよび吸湿器駆動用モータのうちの少なくとも一部を臭気クリーニング専用動作するように設定して、再生部の吸湿器温度が通常の運転温度より高くなるようにしたことで、吸湿器に吸着された臭気が多く放出され、短時間で効果的に脱臭を行うことができる。
【０１１２】
また、臭気クリーニング専用動作において、一定時間の間吸湿ファンの動作を止めて、除湿・再生動作を行うことで、吸湿器に除湿空気が通気されないために吸湿器が冷却されず、吸湿器全体の温度が上昇し、吸湿器に吸着された臭気が多く放出され、短時間で効果的に脱臭を行うことができる。
【０１１３】
さらに、臭気クリーニング専用動作において、一定時間の間吸湿器の回転を通常運転より遅くすることで、加熱時間が長くなり、高温の再生空気が吸湿器の深くまで届き（吸湿器の温度が高くなる）、吸湿器に吸着された臭気が多く放出され、短時間で効果的な脱臭を行うことができる。
【０１１４】
また、前記除湿機は、吸湿器を挟んで再生ヒータの反対側の吸湿径路に脱臭ヒータを設置し、臭気クリーニング動作において、再生動作をすると同時に前記脱臭ヒータに通電し、前記脱臭ヒータで過熱した除湿空気を吸湿器の再生空気下流側から再生空気の流れと逆方向に吸湿器に通して、該吸湿器を温風加熱することで、吸湿器が両面から脱臭され、短時間で効果的な脱臭を行うことができる。
【図面の簡単な説明】
【図１】本発明の第１の実施形態に係る除湿機の主要部の構成を示す構成図である。
【図２】本発明の第２の実施形態に係る除湿機の自動除湿運転の動作制御を示すフローチャートである。
【図３】本発明の第４の実施形態に係る除湿機の臭気クリーニング運転がタイマー運転の動作を示すフローチャートである。
【図４】本発明の第５の実施形態に係る除湿機の臭気クリーニング運転が連続除湿運転の動作を示すフローチャートである。
【図５】本発明の第６の実施形態に係る除湿機の吸湿器が１回転以上回転する時間を除湿動作してから自動除湿運転に入る動作を示すフローチャートである。
【図６】本発明の第７の実施形態に係る除湿機の臭気クリーニング動作してから自動除湿運転に入る動作を示すフローチャートである。
【図７】本発明の第８の実施形態に係る除湿機の自動除湿運転中に一定時間毎に行われる臭気クリーニングの動作を示すフローチャートである。
【図８】本発明の第９実施形態に係る除湿機の室内の湿度が設定湿度以下になった時の最低の能力（弱）運転の動作を示すフローチャートである。
【図９】本発明の第１０の実施形態に係る除湿機の自動除湿運転におけるヒータ、吸湿ファン等の設定の一例を示す設定表である。
【図１０】本発明の第１１の実施形態に係る除湿機の自動除湿運転におけるヒータ、吸湿ファン等の設定の一例を示す設定表である。
【図１１】本発明の第１２の実施形態に係る除湿機の自動除湿運転におけるヒータ、吸湿ファン等の設定の一例を示す設定表である。
【図１２】従来の除湿機の主要部の構成を示す構成図である。
【図１３】従来の除湿機の自動除湿運転の動作制御を示すフローチャートである。
【符号の説明】
１  除湿機
１ａ  空気入側
１ｂ  空気出側
１１  吸湿器
１１ａ  吸湿部
１１ｂ  再生部
１２  吸湿ファン
１３  除湿空気
１３ａ  乾燥空気
１３ｂ  高温状態の除湿空気
１４  再生ファン
１５  再生空気
１６  再生ヒータ
１７  凝縮器
１７ａ  外側通路
１７ｂ  他方通路
１８  凝縮水
１９  貯水タンク
２０  熱交換器
２１  湿度センサ
２２  スイッチ
２３  脱臭ヒータ
【図１】
0003880378.tif 000002
【図２】
0003880378.tif 000003
【図３】
0003880378.tif 000004
【図４】
0003880378.tif 000005
【図５】
0003880378.tif 000006
【図６】
0003880378.tif 000007
【図７】
0003880378.tif 000008
【図８】
0003880378.tif 000009
【図９】
0003880378.tif 000010
【図１０】
0003880378.tif 000011
【図１１】
0003880378.tif 000012
【図１２】
0003880378.tif 000013
【図１３】
0003880378.tif 000014